(57)【要約】      （修正有）【課題】排水不要、かつ、洗浄用薬剤を使用せずに長期間洗浄力、殺菌力及び脱臭力を維持できる遊技媒体洗浄用装置を提供する。【解決手段】遊技媒体洗浄液循環装置は、遊技媒体洗浄室３から排出される排オゾン水を貯留する排水貯留槽５と、排オゾン水を濾過するフィルター６と、フィルター６を通過した濾過オゾン水若しくは原水を貯留する貯留槽７と、濾過オゾン水若しくは原水に対して電気分解を施してオゾン水を生成するオゾナイザー８と、オゾン水を汲み上げて遊技媒体洗浄室３に注入するポンプ１２及びパイプ１１、１３を備えて構成される。【選択図】図１
2015134099.tif 000002
【特許請求の範囲】
【請求項１】
遊技媒体洗浄室から排出される排オゾン水を貯留する排水貯留槽と、
該排水貯留槽に貯留される前記排オゾン水を濾過するフィルターと、
該フィルターを通過した濾過オゾン水若しくは原水を貯留する貯留槽と、
該貯留槽に貯留される前記濾過オゾン水若しくは前記原水に対して電気分解又はオゾンバブリングを施してオゾン水を生成するオゾナイザーと、
前記オゾン水を汲み上げて前記遊技媒体洗浄室に注入するポンプ及びパイプを備えている
遊技媒体洗浄液循環装置。
【請求項２】
遊技媒体洗浄室から排出される排オゾン水を貯留する排水貯留槽と、
該排水貯留槽に貯留される前記排オゾン水を濾過するフィルターと、
該フィルターを通過した濾過オゾン水若しくは原水を貯留する貯留槽と、
該貯留槽に貯留される前記濾過オゾン水若しくは前記原水を汲み上げるポンプと、
前記ポンプで汲み上げられた前記濾過オゾン水若しくは前記原水に対して電気分解又はオゾンバブリングを施してオゾン水を生成するオゾナイザーと、
前記オゾン水を前記遊技媒体洗浄室に注入するパイプを備えている
遊技媒体洗浄液循環装置。
【請求項３】
前記排オゾン水、前記濾過オゾン水若しくは原水から雑イオンを除去するイオン交換膜又は雑イオン除去機構をさらに備えている
ことを特徴とする請求項１又は２に記載の遊技媒体洗浄液循環装置。
【請求項４】
請求項１ないし３のいずれかに記載の遊技媒体洗浄液循環装置と、
遊技場から回収されてきた遊技媒体を蓄積し送り出す遊技媒体フィーダーと、
該遊技媒体フィーダーから送り出された遊技媒体を洗浄する遊技媒体洗浄室と、
該遊技媒体洗浄室で洗浄された遊技媒体を受け入れて脱水する脱水室を備えている
遊技媒体洗浄装置。
【発明の詳細な説明】
【技術分野】
【０００１】
本発明は、遊技媒体を洗浄するためにオゾン水を生成し、そのオゾン水を循環させる遊技媒体洗浄液循環装置及びその遊技媒体洗浄液循環装置を適用した遊技媒体洗浄装置に関するものである。
【背景技術】
【０００２】
スロットマシンやパチンコといった遊技機で使用されるメダルやパチンコ玉といった遊技媒体は、遊技機に投入された後、その遊技機から排出され、再び遊技機に供給されるように遊技場の中を循環している。
この遊技媒体の表面には、人の手に触れたり遊技場の中を循環したりする過程において、雑菌や汚れが付着する。
そして、表面に雑菌や汚れが付着した遊技媒体の洗浄を怠ると、遊技媒体を介して遊技者や店員に雑菌や汚れが付着して不衛生であり、ひどい場合には遊技媒体から異臭が発生することもある。
【０００３】
そこで、遊技場の中を循環させる過程で遊技媒体を洗浄する各種の遊技用メダル洗浄装置が開発されている。
例えば、特許文献１（特開平９−２４１５５号公報）には、図３に示すように、遊技機に投入された遊技媒体を、回収ボックスから分岐回収管、回収パイプ及び減速ユニットを経由して洗浄機に送り込み、還元水で洗浄した後乾燥し、タンクに貯留し、必要に応じて供給パイプを通して各遊技機へと供給する遊技媒体の集配洗浄装置が記載されている。
また、特許文献２（特開２００７−１３０２２０号公報、特に段落００３６及び図２を参照）には、遊技機(90)及び遊技媒体計数器(95)から排出される遊技媒体が遊技媒体搬送樋(80) を通って洗浄部(14)に供給され、洗浄部(14)で洗浄された遊技媒体が遊技媒体搬送樋(80)を通って遊技機(90)に供給される遊技媒体洗浄システムであって、洗浄液として原水を電解することで生成する酸性電解水とアルカリ性電解水とに界面活性剤を混合したものを用いることが記載されている。
さらに、特許文献３（特開２００１−１７０４１５号公報、特に段落００４８及び図１３を参照）には、洗浄液貯溜槽(47)にメダル収納タンク(57)から汚れたメダルを通過させることによってメダルに付着した汚れを取る遊技用メダルの洗浄装置に設置される、汚れを含む洗浄液を濾過タンク(29)に導いて汚れを取り除き再度洗浄液貯溜槽(47)へ還流させる遊技用メダル洗浄液の濾過装置が記載されている。
【先行技術文献】
【特許文献】
【０００４】
【特許文献１】特開平９−２４１５５号公報
【特許文献２】特開２００７−１３０２２０号公報
【特許文献３】特開２００１−１７０４１５号公報
【発明の概要】
【発明が解決しようとする課題】
【０００５】
しかし、特許文献１及び２に記載の技術は、ともに遊技媒体を洗浄する洗浄液を排水する必要があり、遊技場内に排水設備を設けなければならない。
また、特許文献２に記載されている洗浄液は界面活性剤を混合しているため、材料費と薬剤注入の労務費が発生する。
そして、特許文献３に記載されている遊技用メダル洗浄液の濾過装置は、汚れを含む洗浄液を濾過タンク(29)に導いて汚れを取り除き再度洗浄液貯溜槽(47)へ還流させてはいるものの、専用の遊技用メダル洗浄液を用いているため洗浄液購入費が発生する。また、洗浄液の濾過には限度があるので、洗浄液の追加や濾過装置の交換にかかる労務費が発生し、洗浄液の交換時期が不定期の場合、雑菌の繁殖、ぬめり、異臭、洗浄液循環経路や吸水ローラー等への汚れの付着蓄積といった問題も発生する。
【０００６】
本発明は、これらの課題を解消するために、排水不要、かつ、洗浄用薬剤を使用せずに長期間洗浄力、殺菌力及び脱臭力を維持できる遊技媒体洗浄用装置の提供を目的としてなされたものである。
【課題を解決するための手段】
【０００７】
請求項１に係る発明の遊技媒体洗浄液循環装置は、遊技媒体洗浄室から排出される排オゾン水を貯留する排水貯留槽と、該排水貯留槽に貯留される前記排オゾン水を濾過するフィルターと、該フィルターを通過した濾過オゾン水若しくは原水を貯留する貯留槽と、該貯留槽に貯留される前記濾過オゾン水若しくは前記原水に対して電気分解又はオゾンバブリングを施してオゾン水を生成するオゾナイザーと、前記オゾン水を汲み上げて前記遊技媒体洗浄室に注入するポンプ及びパイプを備えていることを特徴とする。
【０００８】
請求項２に係る発明の遊技媒体洗浄液循環装置は、遊技媒体洗浄室から排出される排オゾン水を貯留する排水貯留槽と、該排水貯留槽に貯留される前記排オゾン水を濾過するフィルターと、該フィルターを通過した濾過オゾン水若しくは原水を貯留する貯留槽と、該貯留槽に貯留される前記濾過オゾン水若しくは前記原水を汲み上げるポンプと、前記ポンプで汲み上げられた前記濾過オゾン水若しくは前記原水に対して電気分解又はオゾンバブリングを施してオゾン水を生成するオゾナイザーと、前記オゾン水を前記遊技媒体洗浄室に注入するパイプを備えていることを特徴とする。
【０００９】
請求項３に係る発明の遊技媒体洗浄装置は、請求項１又は２に記載の遊技媒体洗浄液循環装置と、遊技場から回収されてきた遊技媒体を蓄積し送り出す遊技媒体フィーダーと、該遊技媒体フィーダーから送り出された遊技媒体を洗浄する遊技媒体洗浄室と、該遊技媒体洗浄室で洗浄された遊技媒体を受け入れて脱水する脱水室を備えていることを特徴とする。
【発明の効果】
【００１０】
請求項１に係る発明の遊技媒体洗浄液循環装置又は該遊技媒体洗浄液循環装置を含む請求項３に係る発明の遊技媒体洗浄装置によれば、遊技媒体を洗浄するためにオゾナイザーでオゾン水を生成し、かつ、遊技媒体洗浄室から排出される排オゾン水を濾過した後、必要に応じてオゾナイザーで劣化したオゾン水を活性化して遊技媒体洗浄室に還流するので、遊技場内に排水設備を設ける必要がない。
また、薬剤の補充や交換を行うことなく、オゾン水の洗浄力、殺菌力及び脱臭力を利用して遊技媒体を洗浄できるので、材料費や薬剤注入の労務費が発生せず、低いランニングコストで遊技媒体を清浄に保つことができる。
さらに、必要に応じ随時オゾナイザーを作動させることによって、還流しているオゾン水に対して電気分解又はオゾンバブリングを施して劣化したオゾン水を活性化することができるので、遊技媒体洗浄装置への雑菌の繁殖、ぬめり、洗浄液循環経路や吸水ローラー等への汚れの付着蓄積、これらの装置からの異臭発生を長期間にわたって防止できる。
【００１１】
請求項２に係る発明の遊技媒体洗浄液循環装置又は該遊技媒体洗浄液循環装置を含む請求項３に係る発明の遊技媒体洗浄装置によれば、請求項１に係る発明の効果に加え、オゾナイザーによるオゾン水の生成が、濾過オゾン水又は原水が貯留槽からポンプで汲み上げられ遊技媒体洗浄室に注入されるまでの間に行われるので、オゾナイザーで生成されたオゾン水を確実に遊技媒体洗浄室に注入することができる。
【図面の簡単な説明】
【００１２】
【図１】実施例１に係る遊技媒体洗浄装置の斜視図。
【図２】実施例２に係る遊技媒体洗浄装置の斜視図。
【図３】特許文献１に記載されている遊技媒体の集配洗浄装置を示す図。
【発明を実施するための形態】
【００１３】
以下、実施例によって本発明の実施形態を説明する。
【実施例１】
【００１４】
図１は、実施例１に係る遊技媒体洗浄装置の斜視図である。
なお、脱水室４は排水貯留槽５等と重なる位置にあるので、見やすくするために上方に移動させて描いてある。
実施例１の遊技媒体洗浄装置は、遊技場から回収されてきたメダル（遊技媒体）を蓄積して適宜の枚数を送り出す遊技媒体フィーダー１と、遊技媒体フィーダー１から送り出されたメダルを滑らせて遊技媒体洗浄室３に投入する遊技媒体投入ダクト２と、投入されたメダルを吐出パイプ１３から注入されるオゾン水によって洗浄する遊技媒体洗浄室３と、遊技媒体洗浄室３で洗浄されたメダルを受け入れて脱水する脱水室４と、遊技媒体洗浄室３から排出されるメダル洗浄後の排オゾン水を貯留する排水貯留槽５と、排水貯留槽５に貯留される排オゾン水を濾過するフィルター６と、フィルター６を通過した濾過オゾン水又は原水を貯留する貯留槽７と、貯留槽７に貯留される濾過オゾン水又は原水を電気分解してオゾン水を生成するオゾナイザー８と、オゾン水の吸い込み口に取り付けられている吸い込みフィルター１０と、吸い込みパイプ１１と、吸い込みフィルター１０及び吸い込みパイプ１１を介してオゾン水を汲み上げるポンプ１２と、ポンプ１２から送り出されるオゾン水を遊技媒体洗浄室３に注入する吐出パイプ１３を備えている。
【００１５】
脱水室４は、４本の吸水ローラー１４と、ベルトコンベア１５と、遊技媒体洗浄室３で洗浄されたメダルを上下の吸水ローラー１４の間に送り込む傾斜路１６を備えている。
そして、洗浄後のメダルを上下の吸水ローラー１４で挟んで送り出しながら表面についているオゾン水を吸収し、ベルトコンベア１５の上でメダルを乾かしながら各遊技機にメダルを供給するメダル供給装置へ移送するようになっている。
【００１６】
排水貯留槽５と貯留槽７は、遊技媒体洗浄室３の下部に設けられている排水ダクト１７の下に設けられている箱体を長方形のフィルター６で仕切り、排水ダクト１７側を排水貯留槽５、吸い込みフィルター１０側を貯留槽７としている。
箱体の側面にはフィルター６を支持するための切り込み又はコの字状の支持部材を対向させて設け、上方からフィルター６を抜き差しして容易に交換できるようにしている。
【００１７】
オゾナイザー８は２枚の電極板と各電極板に接続されている電源端子で構成されており、貯留槽７の上縁に固定されているオゾナイザー取り付け板１８に支持され、２枚の電極板はオゾナイザー取り付け板１８から貯留槽７の底部に向かって下方に延び、上部の電源端子には直流電源と接続するための電線９が取り付けられている。
【００１８】
吐出パイプ１３は、その先端に遊技媒体洗浄室３に設置されているターンテーブル１９にオゾン水をまんべんなく注入することができる散水装置２０を有している。
【００１９】
実施例１の遊技媒体洗浄装置を使用する際には、以下の手順で行う。
（１）排水貯留槽５と貯留槽７に原水を注入する。
（２）オゾナイザー８を作動させ、少なくとも貯留槽７に注入された原水をオゾン水とする。
（３）ポンプ１２を作動させ、貯留槽７内のオゾン水を吸い込みフィルター１０及び吸い込みパイプ１１を介して汲み上げ、ポンプ１２から送り出されるオゾン水を吐出パイプ１３及び散水装置２０を介して遊技媒体洗浄室３に注入する。
（４）遊技媒体フィーダー１から送り出され、遊技媒体洗浄室３に投入されたメダルをオゾン水によって洗浄する。
（５）オゾン水によって洗浄したメダルを上下の吸水ローラー１４の間に送り込み表面についているオゾン水を吸収した後、ベルトコンベア１５の上に送り出してメダルを乾かしながらメダル供給装置へ移送する。
（６）メダルを洗浄した排オゾン水を排水ダクト１７から排出し、排水貯留槽５に貯留する。
（７）排水貯留槽５に貯留された排オゾン水はフィルター６で濾過され、濾過オゾン水となって貯留槽７に貯留される。
（８）貯留槽７に貯留された濾過オゾン水を、必要に応じてオゾナイザー８を作動させることによりオゾン水とする。
（９）（３）〜（８）の手順を繰り返して、メダルをオゾン水によって洗浄し、洗浄したメダルを脱水するとともに、オゾン水を遊技媒体洗浄装置内で循環させる。
なお、オゾナイザー８は、次のａ．〜ｄ．のいずれかの場合に作動させれば良い。
ａ．排オゾン水や濾過オゾン水の状態がメダル洗浄に適さなくなった場合。
ｂ．オゾナイザー８を停止してから洗浄したメダルの数が所定数に達した場合。
ｃ．オゾナイザー８を停止してからから所定時間が経過した場合。
ｄ．遊技媒体フィーダー１から遊技媒体洗浄室３にメダルが投入された場合。
【実施例２】
【００２０】
図２は、実施例２に係る遊技媒体洗浄装置の斜視図である。
実施例２の遊技媒体洗浄装置は、オゾナイザー２１の設置位置が異なる以外は実施例１の遊技媒体洗浄装置と同様の構成である。そのため、オゾナイザー２１及び電線２２以外には同じ番号が付してある。
なお、図１と同様、脱水室４は排水貯留槽５等と重なる位置にあるので、見やすくするために上方に移動させて描いてある。
【００２１】
そこで、実施例２の遊技媒体洗浄装置におけるオゾナイザー２１について説明すると、全体として円筒状であり、円筒状の本体内部に２枚の電極板が設けられ、それらの電極板に各々接続されている２つの電源端子は本体の側壁部から突出し、かつ、２つの電源端子には、それぞれ直流電源と接続するための電線２２が取り付けられている。
そして、円筒状の本体を吸い込みパイプ１１の途中に取り付け、ポンプ１２で原水又は濾過オゾン水を汲み上げた時、原水又は濾過オゾン水が２枚の電極板の間を通過するようにしてある。
そのため、実施例２においては、オゾナイザー取り付け板１８は不要である。
【００２２】
実施例２の遊技媒体洗浄装置を使用する際には、以下の手順で行う。
（１）排水貯留槽５と貯留槽７に原水を注入する。
（２）ポンプ１２を作動させながらオゾナイザー２１を作動させて、オゾナイザー２１の電極板の間に原水を通過させオゾン水を生成する。
（３）ポンプ１２から送り出されるオゾン水を吐出パイプ１３及び散水装置２０を介して遊技媒体洗浄室３に注入する。
（４）遊技媒体フィーダー１から送り出され、遊技媒体洗浄室３に投入されたメダルをオゾン水によって洗浄する。
（５）オゾン水によって洗浄したメダルを上下の吸水ローラー１４の間に送り込み表面についているオゾン水を吸収した後、ベルトコンベア１５の上に送り出してメダルを乾かしながらメダル供給装置へ移送する。
（６）メダルを洗浄した排オゾン水を排水ダクト１７から排出し、排水貯留槽５に貯留する。
（７）排水貯留槽５に貯留された排オゾン水はフィルター６で濾過され、濾過オゾン水となって貯留槽７に貯留される。
（８）貯留槽７に貯留された濾過オゾン水を、ポンプ１２で汲み上げオゾナイザー２１の電極板の間に濾過オゾン水を通過させオゾン水を生成する。
（９）（３）〜（８）の手順を繰り返して、メダルをオゾン水によって洗浄し、洗浄したメダルを脱水するとともに、オゾン水を遊技媒体洗浄装置内で循環させる。
なお、オゾナイザー２１を十分な時間作動させて、排水貯留槽５及び貯留槽７に貯留されている排オゾン水及び濾過オゾン水が活性化された後においては、オゾナイザー２１を一旦停止しても良い。そして、上記のａ．〜ｄ．のいずれかと同様の場合に再びオゾナイザー２１を作動させれば良い。
【００２３】
実施例１、２の遊技媒体洗浄装置に関する変形例を列記する。
（１）実施例１は、遊技媒体フィーダー１、遊技媒体投入ダクト２、遊技媒体洗浄室３及び脱水室４を備える遊技媒体洗浄装置であるが、遊技媒体フィーダー１、遊技媒体投入ダクト２、遊技媒体洗浄室３及び脱水室４については既存の装置を利用することを前提とした、既存の遊技媒体洗浄室からの排液を貯留することができる排水貯留槽５と、排水貯留槽５に貯留される排オゾン水を濾過するフィルター６と、フィルター６を通過した濾過オゾン水又は原水を貯留する貯留槽７と、貯留槽７に貯留される濾過オゾン水又は原水を電気分解してオゾン水を生成するオゾナイザー８と、オゾン水の吸い込み口に取り付けられている吸い込みフィルター１０と、吸い込みパイプ１１と、吸い込みフィルター１０及び吸い込みパイプ１１を介してオゾン水を汲み上げるポンプ１２と、ポンプ１２から送り出されるオゾン水を既存の遊技媒体洗浄室に注入する吐出パイプ１３を備えている遊技媒体洗浄液循環装置としても良い。
同様に実施例２も、遊技媒体フィーダー１、遊技媒体投入ダクト２、遊技媒体洗浄室３及び脱水室４を備える遊技媒体洗浄装置であるが、遊技媒体フィーダー１、遊技媒体投入ダクト２、遊技媒体洗浄室３及び脱水室４については既存の装置を利用することを前提とした、既存の遊技媒体洗浄室からの排液を貯留することができる排水貯留槽５と、排水貯留槽５に貯留される排オゾン水を濾過するフィルター６と、フィルター６を通過した濾過オゾン水又は原水を貯留する貯留槽７と、該貯留槽７に貯留される濾過オゾン水又は原水を汲み上げるポンプ１２と、ポンプ１２で汲み上げられた濾過オゾン水又は原水を電気分解してオゾン水を生成するオゾナイザー２１と、ポンプ１２から送り出されるオゾン水を既存の遊技媒体洗浄室に注入する吐出パイプ１３を備えている遊技媒体洗浄液循環装置としても良い。
（２）実施例１は、貯留槽７内で濾過オゾン水又は原水にオゾナイザー８によって電気分解を施してオゾン水を生成するものであるが、オゾン水の生成はオゾナイザーで気相オゾンを発生させ、貯留槽７内の濾過オゾン水又は原水に気相オゾンを混入させるオゾンバブリングを施すことによっても可能である。
同様に実施例２は、吸い込みパイプ１１内で濾過オゾン水又は原水にオゾナイザー２１によって電気分解を施してオゾン水を生成するものであるが、オゾン水の生成はオゾナイザーで気相オゾンを発生させ、吸い込みパイプ１１、ポンプ１２及び吐出パイプ１３のいずれか１箇所又は複数箇所において濾過オゾン水又は原水に気相オゾンを混入させるオゾンバブリングを施すことによっても可能である。
（３）実施例１、２においては、ポンプ１２を貯留槽７の近くに設置しているが、貯留槽７と遊技媒体洗浄室３を繋ぐパイプ（吸い込みパイプ１１及び吐出パイプ１３）のいずれの位置に設けても良い。
なお、ポンプ１２を水中ポンプとし、貯留槽７の中に設けることもできる。そうした場合、吸い込みパイプ１１を介さずにオゾン水、濾過オゾン水又は原水を吐出パイプ１３へ送り出すことも可能である。
（４）実施例１、２の脱水室４は、４本の吸水ローラー１４と、ベルトコンベア１５と、遊技媒体洗浄室３で洗浄されたメダルを上下の吸水ローラー１４の間に送り込む傾斜路１６を備えているが、遊技媒体洗浄室３で洗浄されたメダルをメダル供給装置へ移送しながら乾かせるものであればどのようなものであっても良い。
（５）実施例１、２の排水貯留槽５と貯留槽７は、箱体を長方形のフィルター６で仕切って設けているが、それぞれ別々の箱体とし、排水貯留槽５内の排オゾン水を貯留槽７に送り込みつつ、フィルター６によって濾過する構成としても良い。
また、箱体の上面は開放しているが、排水ダクト１７から排オゾン水を受け入れる開口と吸い込みパイプ１１を通過させる穴又は切り欠きを有する蓋を設けても良い。蓋を設ける場合には、その全部又は一部を透明として、フィルター６、排水貯留槽５及び貯留槽７の様子を観察できるようにした方が良い。
（６）実施例１、２においては、フィルター６を１枚だけ設けているが、複数枚設けても良い。フィルター６を複数枚とした場合、排水ダクト１７側に安価な粗めのフィルター、吸い込みフィルター１０側に高価な細かいフィルターを設けることで、さらにランニングコストを下げることができる。
（７）実施例１、２においては、濾過用のフィルター６のみを設けているが、濾過用のフィルター６に加えて、雑イオンを除去するイオン交換膜を１枚又は複数枚設けても良い。
また、雑イオンの除去は排水貯留槽５若しくは貯留槽７の内部に雑イオン除去機構を設けたり、排水貯留槽５や貯留槽７とは別に雑イオン除去機構を備えた雑イオン除去用貯留槽を設けたりして行っても良い。
そして、イオン交換膜や雑イオンの除去機構を設けて雑イオンを除去すれば、濾過オゾン水や原水の電気分解をより効率的に行うことができるだけでなく、オゾン電極の長寿命化が図れ、さらなるランニングコストの削減にもつながる。
（８）実施例１、２においては、吸い込みフィルター１０を設けているが、この吸い込みフィルター１０は設けなくても良い。
【符号の説明】
【００２４】
１  遊技媒体フィーダー      ２  遊技媒体投入ダクト
３  遊技媒体洗浄室      ４  脱水室      ５  排水貯留槽
６  フィルター      ７  貯留槽      ８  オゾナイザー
９  電線      １０  吸い込みフィルター
１１  吸い込みパイプ      １２  ポンプ      １３  吐出パイプ
１４  吸水ローラー      １５  ベルトコンベア
１６  傾斜路      １７  排水ダクト
１８  オゾナイザー取り付け板      １９  ターンテーブル
２０  散水装置      ２１  オゾナイザー      ２２  電線
【図１】
2015134099.tif 000003
【図２】
2015134099.tif 000004
【図３】
2015134099.tif 000005